【手続補正書】
【提出日】平成16年4月21日(2004.4.21)
【手続補正１】
【補正対象書類名】明細書
【補正対象項目名】特許請求の範囲
【補正方法】変更
【補正の内容】
【特許請求の範囲】
【請求項１】
入力される映像信号が標準信号であるか否かを判定する映像信号処理装置において、
前記映像信号の水平同期信号に対する前記映像信号の垂直同期信号の位相差に対応して、フィールドＩＤ信号を生成するフィールドＩＤ信号生成手段と、
前記垂直同期信号のエッジに対応して、所定の範囲で循環されるカウント値をカウントアップする第１のカウント手段と、
前記フィールドＩＤ信号の両エッジにそれぞれ対応して、所定の範囲で循環されるカウント値をカウントアップする第２のカウント手段と、
前記第１のカウント手段のカウント値が第１の値であるとき、前記垂直同期信号のエッジに対応して、前記第２のカウント手段のカウント値を取得する取得手段と、
前記取得手段によって取得された前記第２のカウント手段のカウント値に基づき、前記映像信号が前記標準信号であるか非標準信号であるかを判定する判定手段と
を含むことを特徴とする映像信号処理装置。
【請求項２】
前記判定手段は、前記取得手段によって取得された前記第２のカウント手段のカウント値も前記第１の値である場合、前記映像信号が前記標準信号であると判定し、前記取得手段によって取得された前記第２のカウント手段のカウント値が第２の値である場合、前記映像信号が前記非標準信号であると判定し、前記取得手段によって取得された前記第２のカウント手段のカウント値が前記第１の値および前記第２の値のいずれでもない場合、前回の判定結果を保持する
ことを特徴とする請求項１に記載の映像信号処理装置。
【請求項３】
前記標準信号は、偶数フィールドと奇数フィールドが交互に配置されたインタレース方式の映像信号である
ことを特徴とする請求項１に記載の映像信号処理装置。
【請求項４】
入力される映像信号が標準信号であるか否かを判定する映像信号処理装置の映像信号処理方法において、
前記映像信号の水平同期信号に対する前記映像信号の垂直同期信号の位相差に対応して、フィールドＩＤ信号を生成するフィールドＩＤ信号生成ステップと、
前記垂直同期信号のエッジに対応して、所定の範囲で循環されるカウント値をカウントアップする第１のカウントステップと、
前記フィールドＩＤ信号の両エッジにそれぞれ対応して、所定の範囲で循環されるカウント値をカウントアップする第２のカウントステップと、
前記第１のカウントステップの処理でのカウント値が第１の値であるとき、前記垂直同期信号のエッジに対応して、前記第２のカウント手段のカウント値を取得する取得ステップと、
前記取得ステップの処理で取得された前記第２のカウントステップの処理でのカウント値に基づき、前記映像信号が前記標準信号であるか非標準信号であるかを判定する判定ステップと
を含むことを特徴とする映像信号処理方法。
【請求項５】
入力される映像信号が標準信号であるか否かを判定するプログラムであって、
前記映像信号の水平同期信号に対する前記映像信号の垂直同期信号の位相差に対応して、フィールドＩＤ信号を生成するフィールドＩＤ信号生成ステップと、
前記垂直同期信号のエッジに対応して、所定の範囲で循環されるカウント値をカウントアップする第１のカウントステップと、
前記フィールドＩＤ信号の両エッジにそれぞれ対応して、所定の範囲で循環されるカウント値をカウントアップする第２のカウントステップと、
前記第１のカウントステップの処理でのカウント値が第１の値であるとき、前記垂直同期信号のエッジに対応して、前記第２のカウント手段のカウント値を取得する取得ステップと、
前記取得ステップの処理で取得された前記第２のカウントステップの処理でのカウント値に基づき、前記映像信号が前記標準信号であるか非標準信号であるかを判定する判定ステップと
を含むことを特徴とするコンピュータが読み取り可能なプログラムが記録されている記録媒体。
【請求項６】
入力される映像信号が標準信号であるか否かを判定するプログラムであって、
前記映像信号の水平同期信号に対する前記映像信号の垂直同期信号の位相差に対応して、フィールドＩＤ信号を生成するフィールドＩＤ信号生成ステップと、
前記垂直同期信号のエッジに対応して、所定の範囲で循環されるカウント値をカウントアップする第１のカウントステップと、
前記フィールドＩＤ信号の両エッジにそれぞれ対応して、所定の範囲で循環されるカウント値をカウントアップする第２のカウントステップと、
前記第１のカウントステップの処理でのカウント値が第１の値であるとき、前記垂直同期信号のエッジに対応して、前記第２のカウント手段のカウント値を取得する取得ステップと、
前記取得ステップの処理で取得された前記第２のカウントステップの処理でのカウント値に基づき、前記映像信号が前記標準信号であるか非標準信号であるかを判定する判定ステップと
を含む処理をコンピュータに実行させることを特徴とするプログラム。
【請求項７】
入力される映像信号が標準的な信号であるか否かを判定する映像信号処理装置において、
前記映像信号の水平同期信号に対する前記映像信号の垂直同期信号の位相差に対応して、フィールドＩＤ信号を生成するフィールドＩＤ信号生成手段と、
前記垂直同期信号のエッジに対応して、所定の範囲で循環されるカウント値をカウントアップする第１のカウント手段と、
前記フィールドＩＤ信号の両エッジにそれぞれ対応して、所定の範囲で循環されるカウント値をカウントアップする第２のカウント手段と、
前記第１のカウント手段のカウント値が第１の値であるとき、前記垂直同期信号のエッジに対応して、前記第２のカウント手段のカウント値を取得する取得手段と、
前記取得手段によって取得された前記第２のカウント手段のカウント値に基づき、前記映像信号が標準信号であるか、または非標準信号であるかを判定する判定手段と、
前記映像信号に対し、前記判定手段の判定結果に応じて異なる画像処理により前記映像信号からノイズを除去するノイズ除去手段と
を含むことを特徴とする映像信号処理装置。
【請求項８】
前記標準信号は、偶数フィールドと奇数フィールドが交互に配置されたインタレース方式の映像信号である
ことを特徴とする請求項７に記載の映像信号処理装置。
【請求項９】
入力される映像信号が標準的な信号であるか否かを判定する映像信号処理方法において、
前記映像信号の水平同期信号に対する前記映像信号の垂直同期信号の位相差に対応して、フィールドＩＤ信号を生成するフィールドＩＤ信号生成ステップと、
前記垂直同期信号のエッジに対応して、所定の範囲で循環されるカウント値をカウントアップする第１のカウントステップと、
前記フィールドＩＤ信号の両エッジにそれぞれ対応して、所定の範囲で循環されるカウント値をカウントアップする第２のカウントステップと、
前記第１のカウントステップの処理によるカウント値が第１の値であるとき、前記垂直同期信号のエッジに対応して、前記第２のカウントステップの処理によるカウント値を取得する取得ステップと、
前記取得ステップの処理で取得された前記第２のカウントステップの処理によるカウント値に基づき、前記映像信号が標準信号であるか、または非標準信号であるかを判定する判定ステップと、
前記映像信号に対し、前記判定ステップの処理での判定結果に応じて異なる画像処理により前記映像信号からノイズを除去するノイズ除去ステップと
を含むことを特徴とする映像信号処理方法。
【請求項１０】
入力される映像信号が標準的な信号であるか否かを判定するためのプログラムであって、
前記映像信号の水平同期信号に対する前記映像信号の垂直同期信号の位相差に対応して、フィールドＩＤ信号を生成するフィールドＩＤ信号生成ステップと、
前記垂直同期信号のエッジに対応して、所定の範囲で循環されるカウント値をカウントアップする第１のカウントステップと、
前記フィールドＩＤ信号の両エッジにそれぞれ対応して、所定の範囲で循環されるカウント値をカウントアップする第２のカウントステップと、
前記第１のカウントステップの処理によるカウント値が第１の値であるとき、前記垂直同期信号のエッジに対応して、前記第２のカウントステップの処理によるカウント値を取得する取得ステップと、
前記取得ステップの処理で取得された前記第２のカウントステップの処理によるカウント値に基づき、前記映像信号が標準信号であるか、または非標準信号であるかを判定する判定ステップと、
前記映像信号に対し、前記判定ステップの処理での判定結果に応じて異なる画像処理により前記映像信号からノイズを除去するノイズ除去ステップと
を含むことを特徴とするコンピュータが読み取り可能なプログラムが記録されている記録媒体。
【請求項１１】
入力される映像信号が標準的な信号であるか否かを判定するためのプログラムであって、
前記映像信号の水平同期信号に対する前記映像信号の垂直同期信号の位相差に対応して、フィールドＩＤ信号を生成するフィールドＩＤ信号生成ステップと、
前記垂直同期信号のエッジに対応して、所定の範囲で循環されるカウント値をカウントアップする第１のカウントステップと、
前記フィールドＩＤ信号の両エッジにそれぞれ対応して、所定の範囲で循環されるカウント値をカウントアップする第２のカウントステップと、
前記第１のカウントステップの処理によるカウント値が第１の値であるとき、前記垂直同期信号のエッジに対応して、前記第２のカウントステップの処理によるカウント値を取得する取得ステップと、
前記取得ステップの処理で取得された前記第２のカウントステップの処理によるカウント値に基づき、前記映像信号が標準信号であるか、または非標準信号であるかを判定する判定ステップと、
前記映像信号に対し、前記判定ステップの処理での判定結果に応じて異なる画像処理により前記映像信号からノイズを除去するノイズ除去ステップと
を含む処理をコンピュータに実行させることを特徴とするプログラム。
【手続補正２】
【補正対象書類名】明細書
【補正対象項目名】００４１
【補正方法】変更
【補正の内容】
【００４１】
【課題を解決するための手段】
本発明の第１の映像信号処理装置は、映像信号の水平同期信号に対する映像信号の垂直同期信号の位相差に対応して、フィールドＩＤ信号を生成するフィールドＩＤ信号生成手段と、垂直同期信号のエッジに対応して、所定の範囲で循環されるカウント値をカウントアップする第１のカウント手段と、フィールドＩＤ信号の両エッジにそれぞれ対応して、所定の範囲で循環されるカウント値をカウントアップする第２のカウント手段と、第１のカウント手段のカウント値が第１の値であるとき、垂直同期信号のエッジに対応して、第２のカウント手段のカウント値を取得する取得手段と、取得手段によって取得された第２のカウント手段のカウント値に基づき、映像信号が標準信号であるか非標準信号であるかを判定する判定手段とを含むことを特徴とする。


【手続補正３】
【補正対象書類名】明細書
【補正対象項目名】００４４
【補正方法】変更
【補正の内容】
【００４４】
本発明の第１の映像信号処理方法は、映像信号の水平同期信号に対する映像信号の垂直同期信号の位相差に対応して、フィールドＩＤ信号を生成するフィールドＩＤ信号生成ステップと、垂直同期信号のエッジに対応して、所定の範囲で循環されるカウント値をカウントアップする第１のカウントステップと、フィールドＩＤ信号の両エッジにそれぞれ対応して、所定の範囲で循環されるカウント値をカウントアップする第２のカウントステップと、第１のカウントステップの処理でのカウント値が第１の値であるとき、垂直同期信号のエッジに対応して、第２のカウント手段のカウント値を取得する取得ステップと、取得ステップの処理で取得された第２のカウントステップの処理でのカウント値に基づき、映像信号が標準信号であるか非標準信号であるかを判定する判定ステップとを含むことを特徴とする。


【手続補正４】
【補正対象書類名】明細書
【補正対象項目名】００４５
【補正方法】変更
【補正の内容】
【００４５】
本発明の第１の記録媒体のプログラムは、映像信号の水平同期信号に対する映像信号の垂直同期信号の位相差に対応して、フィールドＩＤ信号を生成するフィールドＩＤ信号生成ステップと、垂直同期信号のエッジに対応して、所定の範囲で循環されるカウント値をカウントアップする第１のカウントステップと、フィールドＩＤ信号の両エッジにそれぞれ対応して、所定の範囲で循環されるカウント値をカウントアップする第２のカウントステップと、第１のカウントステップの処理でのカウント値が第１の値であるとき、垂直同期信号のエッジに対応して、第２のカウント手段のカウント値を取得する取得ステップと、取得ステップの処理で取得された第２のカウントステップの処理でのカウント値に基づき、映像信号が標準信号であるか非標準信号であるかを判定する判定ステップとを含むことを特徴とする。


【手続補正５】
【補正対象書類名】明細書
【補正対象項目名】００４６
【補正方法】変更
【補正の内容】
【００４６】
本発明の第１のプログラムは、映像信号の水平同期信号に対する映像信号の垂直同期信号の位相差に対応して、フィールドＩＤ信号を生成するフィールドＩＤ信号生成ステップと、垂直同期信号のエッジに対応して、所定の範囲で循環されるカウント値をカウントアップする第１のカウントステップと、フィールドＩＤ信号の両エッジにそれぞれ対応して、所定の範囲で循環されるカウント値をカウントアップする第２のカウントステップと、第１のカウントステップの処理でのカウント値が第１の値であるとき、垂直同期信号のエッジに対応して、第２のカウント手段のカウント値を取得する取得ステップと、取得ステップの処理で取得された第２のカウントステップの処理でのカウント値に基づき、映像信号が標準信号であるか非標準信号であるかを判定する判定ステップとをコンピュータに実行させることを特徴とする。


【手続補正６】
【補正対象書類名】明細書
【補正対象項目名】００４７
【補正方法】変更
【補正の内容】
【００４７】
本発明の第１の映像信号処理装置および方法、並びにプログラムにおいては、映像信号の水平同期信号に対する映像信号の垂直同期信号の位相差に対応して、フィールドＩＤ信号が生成され、垂直同期信号のエッジに対応して、所定の範囲で循環される第１のカウンタがカウントアップされる。また、フィールドＩＤ信号の両エッジにそれぞれ対応して、所定の範囲で循環される第２のカウンタがカウントアップされ、第１のカウンタが第１の値であるとき、垂直同期信号のエッジに対応して、第２のカウンタの値が取得され、取得された第２のカウントステップの処理での第２のカウンタの値に基づき、映像信号が標準信号であるか非標準信号であるかが判定される。
本発明の第２の映像信号処理装置は、映像信号の水平同期信号に対する映像信号の垂直同期信号の位相差に対応して、フィールドＩＤ信号を生成するフィールドＩＤ信号生成手段と、垂直同期信号のエッジに対応して、所定の範囲で循環されるカウント値をカウントアップする第１のカウント手段と、フィールドＩＤ信号の両エッジにそれぞれ対応して、所定の範囲で循環されるカウント値をカウントアップする第２のカウント手段と、第１のカウント手段のカウント値が第１の値であるとき、垂直同期信号のエッジに対応して、第２のカウント手段のカウント値を取得する取得手段と、取得手段によって取得された第２のカウント手段のカウント値に基づき、映像信号が標準信号であるか、または非標準信号であるかを判定する判定手段と、映像信号に対し、判定手段の判定結果に応じて異なる画像処理により映像信号からノイズを除去するノイズ除去手段とを含むことを特徴とする。
前記標準信号は、偶数フィールドと奇数フィールドが交互に配置されたインタレース方式の映像信号とすることができる。
本発明の第２の映像信号処理方法は、映像信号の水平同期信号に対する映像信号の垂直同期信号の位相差に対応して、フィールドＩＤ信号を生成するフィールドＩＤ信号生成ステップと、垂直同期信号のエッジに対応して、所定の範囲で循環されるカウント値をカウントアップする第１のカウントステップと、フィールドＩＤ信号の両エッジにそれぞれ対応して、所定の範囲で循環されるカウント値をカウントアップする第２のカウントステップと、第１のカウントステップの処理によるカウント値が第１の値であるとき、垂直同期信号のエッジに対応して、第２のカウントステップの処理によるカウント値を取得する取得ステップと、取得ステップの処理で取得された第２のカウントステップの処理によるカウント値に基づき、映像信号が標準信号であるか、または非標準信号であるかを判定する判定ステップと、映像信号に対し、判定ステップの処理での判定結果に応じて異なる画像処理により映像信号からノイズを除去するノイズ除去ステップとを含むことを特徴とする。
本発明の第２の記録媒体のプログラムは、映像信号の水平同期信号に対する映像信号の垂直同期信号の位相差に対応して、フィールドＩＤ信号を生成するフィールドＩＤ信号生成ステップと、垂直同期信号のエッジに対応して、所定の範囲で循環されるカウント値をカウントアップする第１のカウントステップと、フィールドＩＤ信号の両エッジにそれぞれ対応して、所定の範囲で循環されるカウント値をカウントアップする第２のカウントステップと、第１のカウントステップの処理によるカウント値が第１の値であるとき、垂直同期信号のエッジに対応して、第２のカウントステップの処理によるカウント値を取得する取得ステップと、取得ステップの処理で取得された第２のカウントステップの処理によるカウント値に基づき、映像信号が標準信号であるか、または非標準信号であるかを判定する判定ステップと、映像信号に対し、判定ステップの処理での判定結果に応じて異なる画像処理により映像信号からノイズを除去するノイズ除去ステップとを含むことを特徴とする。
本発明の第２のプログラムは、映像信号の水平同期信号に対する映像信号の垂直同期信号の位相差に対応して、フィールドＩＤ信号を生成するフィールドＩＤ信号生成ステップと、垂直同期信号のエッジに対応して、所定の範囲で循環されるカウント値をカウントアップする第１のカウントステップと、フィールドＩＤ信号の両エッジにそれぞれ対応して、所定の範囲で循環されるカウント値をカウントアップする第２のカウントステップと、第１のカウントステップの処理によるカウント値が第１の値であるとき、垂直同期信号のエッジに対応して、第２のカウントステップの処理によるカウント値を取得する取得ステップと、取得ステップの処理で取得された第２のカウントステップの処理によるカウント値に基づき、映像信号が標準信号であるか、または非標準信号であるかを判定する判定ステップと、映像信号に対し、判定ステップの処理での判定結果に応じて異なる画像処理により映像信号からノイズを除去するノイズ除去ステップとを含む処理をコンピュータに実行させることを特徴とする。
本発明の第２の映像信号処理装置および方法、並びにプログラムにおいては、映像信号の水平同期信号に対する映像信号の垂直同期信号の位相差に対応して、フィールドＩＤ信号が生成され、垂直同期信号のエッジに対応して、所定の範囲で循環される第１のカウント値がカウントアップされ、フィールドＩＤ信号の両エッジにそれぞれ対応して、所定の範囲で循環される第２のカウント値がカウントアップされる。そして、第１のカウント値が第１の値であるとき、垂直同期信号のエッジに対応して、第２のカウント値が取得され、取得された第２のカウント値に基づき、映像信号が標準信号であるか、または非標準信号であるかが判定される。さらに、判定結果に応じて異なる画像処理により映像信号からノイズが除去される。